(57)【要約】【課題】付箋紙を検出し読み取った画像情報から除去し、地肌の汚れを無くすこと。【解決手段】ＣＣＤラインセンサ１０は原稿を読み取り、Ａ／Ｄ変換器１１によりデジタル変換されて画像メモリ１３に画像情報が格納される。画像処理回路１２またはＣＰＵ１４は、読み取られた画像情報と、記憶装置１５に登録されている付箋紙の情報とを比較し付箋紙を検出し、付箋紙を検出した場合には読み取られた画像情報から付箋紙部分を除去する。【選択図】図１
2007159065.tif 000002
【特許請求の範囲】
【請求項１】
原稿台上に載置された原稿を読み取る画像読み取り装置において、
原稿を読み取る撮像手段と、
付箋紙の情報を登録する手段と、
前記撮像手段により読み取られた画像情報と登録された前記付箋紙の情報を比較し付箋紙を検出する手段と
を備え、
前記付箋紙を検出した場合には前記撮像手段により読み取られた画像情報から付箋紙部分を除去することを特徴とする画像読み取り装置。
【請求項２】
前記付箋紙の情報を登録する手段で登録する付箋紙の情報が付箋紙の幅、濃度、長さであることを特徴とする請求項１記載の画像読み取り装置。
【請求項３】
前記検出する手段は、画像情報の端部１ラインをスキャンし、予め登録してある濃度が異なる幅を検出し、
予め登録してある濃度が異なる幅が検出された場合には、その幅を予め決められた分だけ広げ、その広げた幅を１辺とし、予め登録された長さをもう１辺とする長方形を抽出し、
前記抽出された長方形の範囲内の全ラインをスキャンし、予め登録してある濃度が異なる幅が、予め登録してある長さ以上連続で存在するか検出を行い、存在した場合は付箋紙が存在するとみなし、
付箋紙ありとみなされた場合、前記抽出された長方形内の予め登録してある濃度の画素すべてを地肌レベルに置き換えることを特徴とする請求項２記載の画像読み取り装置。
【請求項４】
前記付箋紙の情報を登録する手段で登録する付箋紙の幅、濃度、長さは変更可能であることを特徴とする請求項２記載の画像読み取り装置。
【請求項５】
原稿台上に載置された原稿を読み取る画像読み取り装置の付箋紙除去方法であって、
原稿を読み取る撮像工程と、
付箋紙の情報を登録する工程と、
前記原稿を読み取る撮像工程により読み取られた画像情報と登録された前記付箋紙の情報を比較し付箋紙を検出する工程と
を有し、
前記付箋紙を検出する工程で付箋紙を検出した場合には前記撮像工程により読み取られた画像情報から付箋紙部分を除去することを特徴とする付箋紙除去方法。
【請求項６】
前記付箋紙の情報を登録する工程で登録する付箋紙の情報が付箋紙の幅、濃度、長さであることを特徴とする請求項５記載の付箋紙除去方法。
【請求項７】
前記検出する工程において、
画像情報の端部１ラインをスキャンし、予め登録してある濃度が異なる幅を検出し、
予め登録してある濃度が異なる幅が検出された場合には、その幅を予め決められた分だけ広げ、その広げた幅を１辺とし、予め登録された長さをもう１辺とする長方形を抽出し、
前記抽出された長方形の範囲内の全ラインをスキャンし、予め登録してある濃度が異なる幅が、予め登録してある長さ以上連続で存在するか検出を行い、存在した場合は付箋紙が存在するとみなし、
付箋紙ありとみなされた場合、前記抽出された長方形内の予め登録してある濃度の画素すべてを地肌レベルに置き換えることを特徴とする請求項６記載の付箋紙除去方法。
【請求項８】
前記付箋紙の情報を登録する工程で登録する付箋紙の幅、濃度、長さは変更可能であることを特徴とする請求項６記載の付箋紙除去方法。
【発明の詳細な説明】
【技術分野】
【０００１】
本発明は、原稿を光学的走査により撮影する画像読み取り装置に関する。
【背景技術】
【０００２】
従来、文書を画面上にマルチウィンドウに表示し、各文書をページ単位で処理する文書処理装置において、文書ページに付箋を付加して所望のページを容易に検索する技術がある。例えば、複数のページの重ね順序情報および付箋の添付位置情報ならびに大きさ情報に基づいて付箋の重なり具合を判別しながら付箋の表示領域を決定するものがある。
【０００３】
ここで、画像読取装置が、搬送される原稿の画像をＣＣＤイメージセンサで２ライン読み取った読取画像を、Ａ／Ｄ変換部で、デジタル画像データに変換して、当該デジタル画像データに基づいて、地肌レベル検出部が、原稿Ｇの地肌レベルを検出し、ＣＣＤイメージセンサの読み取った原稿の画像データと地肌レベル検出部の検出した原稿の地肌レベルに基づいて、ゴミ等によるノイズの有無をスジ検出部で検出して、当該ノイズ検出結果に基づいて、スジ除去部で、ＣＣＤイメージセンサの読み取った原稿Ｇの画像データから画像ノイズを除去することで、複数の画像読取手段で読み取った画像のゴミ等のノイズの影響を適切に除去して良好な画像を得ることができる技術が提案されている（例えば、特許文献１参照）。
【０００４】
また、付箋の各々を対応するページの順に表示し、表示された付箋が予め設定されている付箋表示領域内に配置できるか否かを判定し、判定結果付箋表示領域内に配置できない付箋があった場合には配置できない付箋を非表示とすることで、文書に付加された付箋の数によらず簡単な仕組みでかつ表示編集による全ての付箋を表示することができる技術が提案されている（例えば、特許文献２参照）。
【特許文献１】特開２００４−３４３１９０号公報
【特許文献２】特開２００１−３０６５５３号公報
【発明の開示】
【発明が解決しようとする課題】
【０００５】
しかしながら、上述した従来例においては次のような問題点があった。
【０００６】
付箋紙に記載されている文字情報（コマンド）を認識し、その（文字情報）コマンドによりメール送信などの処理をおこなうことができるが、付箋紙の検出にはあらかじめ決められた場所に付箋紙を貼ることが前提条件となっており、付箋紙自体を検出することはできない。また、原稿からはみ出している部分に記載されている文字情報を認識することができるが、付箋紙自体を検出することはできない。
【０００７】
本発明は、上記問題点を解決するためになされたものであり、付箋紙を検出し読み取った画像情報から除去し、地肌の汚れを無くすことが可能な画像読み取り装置を提供することを目的とする。
【課題を解決するための手段】
【０００８】
請求項１記載の発明は、原稿台上に載置された原稿を読み取る画像読み取り装置において、原稿を読み取る撮像手段と、付箋紙の情報を登録する手段と、撮像手段により読み取られた画像情報と登録された付箋紙の情報を比較し付箋紙を検出する手段とを備え、付箋紙を検出した場合には撮像手段により読み取られた画像情報から付箋紙部分を除去することを特徴とする画像読み取り装置である。
【０００９】
請求項２記載の発明は、請求項１記載の画像読み取り装置において、付箋紙の情報を登録する手段で登録する付箋紙の情報が付箋紙の幅、濃度、長さであることを特徴とする。
【００１０】
請求項３記載の発明は、請求項２記載の画像読み取り装置において、検出する手段は、画像情報の端部１ラインをスキャンし、予め登録してある濃度が異なる幅を検出し、予め登録してある濃度が異なる幅が検出された場合には、その幅を予め決められた分だけ広げ、その広げた幅を１辺とし、予め登録された長さをもう１辺とする長方形を抽出し、抽出された長方形の範囲内の全ラインをスキャンし、予め登録してある濃度が異なる幅が、予め登録してある長さ以上連続で存在するか検出を行い、存在した場合は付箋紙が存在するとみなし、付箋紙ありとみなされた場合、抽出された長方形内の予め登録してある濃度の画素すべてを地肌レベルに置き換えることを特徴とする。
【００１１】
請求項４記載の発明は、請求項２記載の画像読み取り装置において、付箋紙の情報を登録する手段で登録する付箋紙の幅、濃度、長さは変更可能であることを特徴とする。
【００１２】
請求項５記載の発明は、原稿台上に載置された原稿を読み取る画像読み取り装置の付箋紙除去方法であって、原稿を読み取る撮像工程と、付箋紙の情報を登録する工程と、原稿を読み取る撮像工程により読み取られた画像情報と登録された付箋紙の情報を比較し付箋紙を検出する工程とを有し、付箋紙を検出する工程で付箋紙を検出した場合には撮像工程により読み取られた画像情報から付箋紙部分を除去することを特徴とする付箋紙除去方法である。
【００１３】
請求項６記載の発明は、請求項５記載の付箋紙除去方法において、付箋紙の情報を登録する工程で登録する付箋紙の情報が付箋紙の幅、濃度、長さであることを特徴とする。
【００１４】
請求項７記載の発明は、請求項６記載の付箋紙除去方法において、検出する工程において、画像情報の端部１ラインをスキャンし、予め登録してある濃度が異なる幅を検出し、予め登録してある濃度が異なる幅が検出された場合には、その幅を予め決められた分だけ広げ、その広げた幅を１辺とし、予め登録された長さをもう１辺とする長方形を抽出し、抽出された長方形の範囲内の全ラインをスキャンし、予め登録してある濃度が異なる幅が、予め登録してある長さ以上連続で存在するか検出を行い、存在した場合は付箋紙が存在するとみなし、付箋紙ありとみなされた場合、抽出された長方形内の予め登録してある濃度の画素すべてを地肌レベルに置き換えることを特徴とする。
【００１５】
請求項８記載の発明は、請求項６記載の付箋紙除去方法において、付箋紙の情報を登録する工程で登録する付箋紙の幅、濃度、長さは変更可能であることを特徴とする。
【発明の効果】
【００１６】
本発明のによれば、付箋紙を検出し読み取った画像情報から除去し、地肌の汚れを無くすことが可能となる。
【発明を実施するための最良の形態】
【００１７】
次に、本発明の一実施の形態の構成について図面を参照して説明する。
【００１８】
図１を参照すると、本実施の形態における画像読み取り装置は、同図に示すようなブロック回路構成を備えている。
【００１９】
ＣＣＤラインセンサ１０による原稿の読取出力は、Ａ／Ｄ変換器１１によりデジタル変換されて画像メモリ１３に記憶される。
【００２０】
画像処理回路１２は、変倍回路や、γ変換回路などさまざまなデジタル変換回路から構成されており、所定の画像処理を行い、処理後の画像データを出力する。
【００２１】
ＣＰＵ１４は、画像処理回路１２の制御を行う。記憶装置１５は、付箋紙の幅などの情報を登録するためのものある。
【００２２】
画像処理回路１２にデジタル回路として、もしくはＣＰＵ１４にプログラムとして以下に説明する処理を組み込むことにより、付箋紙の検出、除去を行う。
【００２３】
ここで、図２を参照すると、付箋紙はその役割から、原稿の端に原稿からはみ出すように張られることが大部分であり、また付箋紙には原稿に張るための、のりの部分が１０数ｍｍ程度用意されており、１０数ｍｍ程度以上は原稿内に存在していると考えられる。
【００２４】
図３は図２のような付箋紙の張られている原稿を画像読み取り装置で読み取った画像データの１ラインＥ１−Ｅ２の濃度のデータ分布を示した図である。
【００２５】
付箋紙が張られている場合、図３のように比較的幅の狭い凹凸部が生じるので、隣り合うデータの差分を取り、その差が一定以上で、ある幅の間連続していれば、付箋紙が存在する可能性があると判断することができる。
【００２６】
付箋紙の幅は、多くの場合１〜３ｃｍ程度であり、これを閾値とすることができる。閾値を変更できる構成にしておけば、特殊な幅の付箋紙にも対応することは可能である。
【００２７】
さらに、多くの場合、付箋紙の長さはおよそ８ｃｍ以下であり、のりの部分は１ｃｍ程度以上ある。付箋紙は原稿から数ｃｍ以上ははみ出すように貼る場合がほとんどであるため、原稿内に存在する付箋紙の長さは長くても７ｃｍ程度と考えることができる。
【００２８】
よって、これを閾値として、原稿の端からこの範囲内において、上述した付箋紙検出のアルゴリズムを適用すればよい。
【００２９】
閾値を変更できる構成にしておけば、特殊な長さの付箋紙にも対応することは可能である。
【００３０】
以上に説明したアルゴリズムについて、図４のフローチャートおよび図５、図６を用いて詳細に説明する。なお、今後、このフローチャートに示す付箋紙検出方法をアルゴリズム１とする。
【００３１】
図４を参照すると、まず、（ｘ、ｙ）は図５の原稿をスキャンしメモリに記憶された原稿１枚分の画像データの座標を示したものである。付箋紙の検出を行おうとする1辺をｘ軸とする。ｓは付箋紙の検出を開始するｘ座標であり、画像の端から端まで行うなら、0からｘｉまで行う。y1は付箋紙の検出を行うｙ座標である（ステップ＃１）。
【００３２】
eは付箋紙の検出を終了するx座標であり、ｘ＝ｅで終了となる（ステップ＃２）。
【００３３】
ｘ＝ｘ＋１として次の画素に移る（ステップ＃３）。
【００３４】
（ｘ−１、ｙ１）と（ｘ、ｙ１）の画像濃度の差が閾値以上か調べる（ステップ＃４）。閾値以上なら、付箋紙の幅を調べるフローに入る（ステップ＃４／ｙｅｓ）。
【００３５】
差が閾値以上ならその時のｘ座標＝ｄ１とする（ステップ＃５）。
【００３６】
ｘ＝ｅなら終了とする（ステップ＃６）。
【００３７】
ｘ＝ｘ＋１として次の画素に移る（ステップ＃７）。
【００３８】
(ｘ−１、ｙ１)と（ｘ、ｙ１）の画像濃度が等しいか調べる（ステップ＃８）。付箋紙であれば、同じ濃度がある幅で続く（ステップ＃８／ｙｅｓ）。
【００３９】
ｘ−ｄ１が付箋紙の幅の閾値内であれば、付箋紙ありとする（ステップ＃９）。
【００４０】
付箋紙ありなら、その時のｘ座標＝ｄ２とする（ステップ＃１０）。
【００４１】
この付箋紙検出アルゴリズム１で、原稿上のある１ラインに付箋紙がある可能性があることを検出できる。以下にこのアルゴリズム１を利用して、付箋紙の検出、除去を行う方法を図７のフローチャートを用いて説明する。
【００４２】
アルゴリズム１で、ｓ＝０、ｅ＝ｘi、ｙ１＝０、つまり画像データのあるの１辺の端から端まで付箋紙の検出を行う（ステップ＃１、２）。
【００４３】
付箋紙なしなら終了、付箋紙あり（ステップ＃３／ｙｅｓ）なら付箋紙の長さを検出するフローに入る。付箋紙は一般的に原稿の端に原稿からはみ出して貼られるため、端の１ラインを検査すれば、付箋紙がないことはすぐにわかる。
【００４４】
図８のように、上記のステップ＃２で付箋紙ありとなったときの、ｄ１、ｄ２からαずつひろげた点をＡ、Ｂとし、このＡＢを１辺とし、もう１辺は長さβである長方形ＡＢＣＤを考える（ステップ＃４）。ここでαを考えるのは、付箋紙が原稿に対して斜めに貼られている場合に対応するためである。αを長くとることで、付箋紙が原稿に対して大きく斜めに貼られている場合にも対応することができるが、意図的に付箋紙を斜めに貼ることは、あまり考えられないため通常αは数ｍｍ程度あればよいと考える。当然αの値を使用状況によって変更できる構成にしておいてもよい。また、長さβは先に説明した、付箋紙の長さ方向の閾値である。
【００４５】
ステップ＃４の範囲でアルゴリズム１を適用する（ステップ＃５）。
【００４６】
付箋紙なしなら終了、付箋紙あり（ステップ＃６／ｙｅｓ）なら付箋紙の長さの閾値以上付箋紙ありが続いたか調べる。付箋紙ありが続けば、最終的に付箋紙ありとして、付箋紙除去のフローに入る。付箋紙の長さの閾値以下なら上記のステップ＃４にもどりy座標＋１として繰り返す。このような方法をとることにより、付箋紙ではなく付箋紙と同色の線の場合などは、付箋紙と認識せず誤検出を防ぐことができる（ステップ＃７、８）。
【００４７】
長方形ＡＢＣＤに対して、ｙ＝０から順次アルゴリズム１を適用し、付箋紙ありとなった場合その座標の濃度データを地肌の濃度に置き換える。ただし、付箋紙の幅の閾値を最小値を０とする（ステップ＃９、１０、１１、１２）。これにより付箋紙が原稿に対して多少ななめに張られていても検出、除去することができる。
【００４８】
ここまで、ある１辺を例にとり説明を行ってきたが、４辺に適用すれば全周囲の付箋紙を検出、除去することが可能である。
【００４９】
上記の実施の形態によれば、原稿を読み取る撮像工程により読み取られた画像情報と市販されている付箋紙の情報を登録する工程により登録された付箋紙の情報を比較し、付箋紙を検出し、検出した場合には除去することにより、地肌の汚れを無くすことができる。
【００５０】
また、付箋紙は一般的に幅が狭く、淡い色であり、のりの部分がありのりの部分は原稿内にあること、長さは決まっていることを利用し、付箋紙の検出力の向上を行うことができる。
【００５１】
また、画像情報の端部１ラインをスキャンし、予め登録してある濃度が異なる幅を検出するステップにより、付箋紙は一般的に原稿の端に原稿からはみ出して貼られるため、端の１ラインを検査すれば、付箋紙がないことはすぐにわかり、処理速度の向上を行うことができる。
【００５２】
また、予め登録してある濃度が異なる幅が検出された場合には、その幅を予め決められた分だけ広げ、その広げた幅を１辺とし、予め登録された長さをもう１辺とする長方形を抽出するステップにより、付箋紙が原稿に対して斜めに貼られている場合にも対応することができる。
【００５３】
また、長方形の範囲内の全ラインをスキャンし、予め登録してある濃度が異なる幅が、予め登録してある長さ以上連続で存在するか検出を行い、存在した場合は付箋紙が存在するとみなすステップにより、付箋紙ではなく付箋紙と同色の線などの場合などは、付箋紙と認識せず誤検出を防ぐことができる。
【００５４】
また、付箋紙ありとみなされた場合、長方形内の予め登録してある濃度の画素全てを地肌レベルに置き換えるステップにより、地肌の汚れを無くすことができる。
【００５５】
また、登録する付箋紙の幅、濃度、長さを変更できることにより、ユーザーの使用状況に応じて最適化を行うことができる。
【００５６】
なお、上述する実施の形態は、本発明の好適な実施の形態であり、本発明の要旨を逸脱しない範囲内において種々変更実施が可能である。例えば、上記の実施の形態における画像読み取り装置の機能を実現するためのプログラムを本装置に読込ませて実行することにより本装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００５７】
上述する実施の形態は、各機能が１つのコンピュータシステムとして実現されている構成について説明したが、機能毎に複数の装置などが追加された構成にも適用可能であることはもちろんである。
【図面の簡単な説明】
【００５８】
【図１】本発明の一実施形態の画像読み取り装置の回路構成図である。
【図２】本発明の一実施形態の付箋が置かれた状態を示す図である。
【図３】本発明の一実施形態の濃度の関係を示すグラフである。
【図４】本発明の一実施形態の処理動作を表すフローチャートである。
【図５】本発明の一実施形態の付箋が置かれた状態を示す図である。
【図６】本発明の一実施形態の濃度の関係を示すグラフである。
【図７】本発明の一実施形態の処理動作を表すフローチャートである。
【図８】本発明の一実施形態の付箋が置かれた状態を示す図である。
【符号の説明】
【００５９】
１０    ＣＣＤラインセンサ
１１    Ａ／Ｄ変換器
１２    画像処理回路
１３    画像メモリ
１４    ＣＰＵ
１５    記憶装置
【図１】
2007159065.tif 000003
【図２】
2007159065.tif 000004
【図３】
2007159065.tif 000005
【図４】
2007159065.tif 000006
【図５】
2007159065.tif 000007
【図６】
2007159065.tif 000008
【図７】
2007159065.tif 000009
【図８】
2007159065.tif 000010